(57)【要約】【課題】本発明は、音による異常検出機能を持たせるためのコストを低減することができるエレベータ装置を得ることを目的とするものである。【解決手段】かご内インターホン装置５には、第１のマイクロホン６が設けられている。かご１の外側には、第２のマイクロホン７が設けられている。第１及び第２のマイクロホン６，７からの信号は、共通の信号線１０を通して制御盤８に送信される。即ち、信号線１０は、第１のマイクロホン６からの信号と第２のマイクロホン７からの信号との両方の信号を信号受信部に伝送する。制御盤８には、第２のマイクロホン７からの信号に基づいて昇降路内の異常を検出する異常検出部１２が設けられている。【選択図】図１
2007137647.tif 000002
【特許請求の範囲】
【請求項１】
昇降路内を昇降されるかご、
上記かごの内側に設けられている第１のマイクロホン、
上記かごの外側に設けられている第２のマイクロホン、
上記かごに非搭載であり、上記第１及び第２のマイクロホンからの信号を受ける信号受信部、
上記かごと上記信号受信部との間に設けられ、上記第１のマイクロホンからの信号と上記第２のマイクロホンからの信号との両方の信号を上記信号受信部に伝送する信号線、及び
上記信号受信部に入力された上記第２のマイクロホンからの信号に基づいて上記昇降路内の異常を検出する異常検出部
を備えていることを特徴とするエレベータ装置。
【請求項２】
上記信号線により伝送された信号から所定の周波数の信号を抽出して上記異常検出部に入力するフィルタ部をさらに備えていることを特徴とする請求項１記載のエレベータ装置。
【請求項３】
上記第１のマイクロホンと上記第２のマイクロホンとのいずれか一方を上記信号線に選択的に接続する切換スイッチをさらに備え、
上記切換スイッチは、通常時は上記第１のマイクロホンを上記信号線に接続しており、上記かごを自動的に走行させて点検を行う点検運転時に上記第２のマイクロホンを上記信号線に接続するように切り換えられることを特徴とする請求項１又は請求項２に記載のエレベータ装置。
【請求項４】
上記第１のマイクロホンはかご内インターホン装置に設けられており、上記第２のマイクロホンは、上記かご外へ向けて、上記かご内インターホン装置に設けられていることを特徴とする請求項１〜請求項３のいずれかに記載のエレベータ装置。
【請求項５】
上記第１のマイクロホンは、上記第２のマイクロホンを兼ねており、上記かごの内側と外側とに転向可能になっていることを特徴とする請求項１記載のエレベータ装置。
【請求項６】
昇降路内を昇降されるかご、
上記昇降路内に設けられ、かつ上記昇降路内で発生する音に基づいて上記昇降路内の異常を検出する異常検出部を有し、上記かごの昇降を制御する制御盤、及び
上記制御盤に設けられている昇降路マイクロホン
を備えていることを特徴とするエレベータ装置。
【請求項７】
上記制御盤には、上記昇降路マイクロホンが接続されるソケットが設けられており、上記昇降路マイクロホンは、上記ソケットに抜き差し可能になっていることを特徴とする請求項６記載のエレベータ装置。
【請求項８】
上記異常検出部には、上記かご内に設けられたかご内インターホン装置からの信号も入力されることを特徴とする請求項６又は請求項７に記載のエレベータ装置。
【発明の詳細な説明】
【技術分野】
【０００１】
この発明は、昇降路内で発生する音に基づいて昇降路内の異常を検出する異常検出部を有するエレベータ装置に関するものである。
【背景技術】
【０００２】
従来のエレベータの点検装置では、点検運転時に、かご上に搭載されたマイクロホンにより取得された音響データから異常音を検出し、そのレベルに応じて運行の可否が判別される（例えば、特許文献１参照）。
【０００３】
【特許文献１】特開平６−２４７６５７号公報
【発明の開示】
【発明が解決しようとする課題】
【０００４】
上記のような従来のエレベータ装置では、かご上のマイクロホンから昇降路内に設置された端末装置に音響データを送信するために新たな配線を増やす必要があり、コストが高くなってしまう。特に、既設のエレベータ装置のかご上にマイクロホンを追加する場合、改修コストが高くなってしまう。
【０００５】
この発明は、上記のような課題を解決するためになされたものであり、音による異常検出機能を持たせるためのコストを低減することができるエレベータ装置を得ることを目的とする。
【課題を解決するための手段】
【０００６】
この発明に係るエレベータ装置は、昇降路内を昇降されるかご、かごの内側に設けられている第１のマイクロホン、かごの外側に設けられている第２のマイクロホン、かごに非搭載であり、第１及び第２のマイクロホンからの信号を受ける信号受信部、かごと信号受信部との間に設けられ、第１のマイクロホンからの信号と第２のマイクロホンからの信号との両方の信号を信号受信部に伝送する信号線、及び信号受信部に入力された第２のマイクロホンからの信号に基づいて昇降路内の異常を検出する異常検出部を備えている。
【発明の効果】
【０００７】
この発明のエレベータ装置は、第２のマイクロホンからの信号が第１のマイクロホンと共通の信号線により信号受信部に伝送されるので、第２のマイクロホンを設けることにより信号線を増やす必要がなくなり、音による異常検出機能を持たせるためのコストを低減することができる。
【発明を実施するための最良の形態】
【０００８】
以下、この発明を実施するための最良の形態について、図面を参照して説明する。
実施の形態１．
図１はこの発明の実施の形態１によるエレベータ装置を示す構成図である。図において、かご１及び釣合おもり２は、主索３により昇降路内に吊り下げられており、巻上機４の駆動力により昇降される。
【０００９】
かご１の内側には、かご１内の乗客が外部（保守管理センタ等）の管理人と通話をするためのかご内インターホン装置５が設けられている。かご内インターホン装置５には、第１のマイクロホン６がかご１内に向けて設けられている。第１のマイクロホン６は、かご１内の乗客に音声を伝えるためのスピーカとしての機能も兼ね備えている。かご１の外側、例えばかご１上には、第２のマイクロホン７が設けられている。
【００１０】
昇降路内には、かご１の昇降を制御する制御盤８が設置されている。即ち、制御盤８は、かご１に非搭載であり、かご１から離隔した位置に配置されている。また、制御盤８は、信号受信部として第１及び第２のマイクロホン６，７からの信号を受ける。制御盤８とかご１との間は、制御ケーブル９により接続されている。
【００１１】
第１及び第２のマイクロホン６，７からの信号は、共通の信号線１０を通して制御盤８に送信される。即ち、信号線１０は、第１のマイクロホン６からの信号と第２のマイクロホン７からの信号との両方の信号を信号受信部に伝送する。制御ケーブル９には、信号線１０を含む複数の信号線と、複数の電力線とが挿通されている。
【００１２】
制御盤８には、外部出力部１１、異常検出部（異常点検回路）１２及びフィルタ部１３が設けられている。第１及び第２のマイクロホン６，７からの信号は、外部出力部１１から外部へ出力される。異常検出部１２は、第２のマイクロホン７からの信号に基づいて、即ち昇降路内で発生する音に基づいて昇降路内の異常を検出する。
【００１３】
フィルタ部１３は、信号線１０により伝送された信号から所定の周波数の信号を抽出して異常検出部１２に入力する。フィルタ部１３としては、例えば５００ｋＨｚ以上の信号を通すハイパスフィルタ等のバンドパスフィルタが用いられている。
【００１４】
制御盤８は、演算処理部（ＣＰＵ）、記憶部（ＲＯＭ、ＲＡＭ及びハードディスク等）及び信号入出力部を持ったコンピュータを有している。異常検出部１２の機能は、コンピュータにより実現される。即ち、コンピュータの記憶部には、異常検出部１２の機能を実現するためのプログラムを含む制御プログラムが格納されている。
【００１５】
次に、動作について説明する。例えば地震等によりかご１が停止された後に点検運転を実施する際、第２のマイクロホン７からの信号が信号線１０及びフィルタ部１３を介して異常検出部１２に入力される。異常検出部１２は、点検運転中に昇降路内で発生する音から異常音を検出し、音の種類や大きさから異常の内容を判定し、判定結果に応じてエレベータ装置の運転方法（運転再開、運転休止等）を決定する。第２のマイクロホン７により取得される異常音としては、主索３やガバナロープ（図示せず）等の索状体の引っ掛かり音、ガイド摺り音、及び機器の接触音等が挙げられる。
【００１６】
このようなエレベータ装置では、第２のマイクロホン７からの信号が第１のマイクロホン６と共通の信号線１０により制御盤８に伝送されるので、第２のマイクロホン７を設けることにより信号線１０を増やす必要がなくなり、音による異常検出機能を持たせるためのコストを低減することができる。また、既設のエレベータ装置のかご１上に第２のマイクロホン７を追加設置しても、新たな信号線を制御ケーブル９に設ける必要がなく、配線工事が簡単になり、改修コストを低減することができる。
【００１７】
また、信号線１０により伝送された信号はフィルタ部１３を通して異常検出部１２に入力されるので、異常検出に必要な周波数領域の信号を選択的に異常検出部１２に入力することができ、異常検出の精度を向上させることができる。これは、異常検出に用いられる異常音は、第１のマイクロホン６から入力される人間の声の周波数領域とは主となる周波数特性が異なる場合が多いためである。
【００１８】
なお、第２のマイクロホン７としては、第１のマイクロホン６と同じか、又は近い電気特性のマイクロホンを用いることが好適であり、安定した信号特性を得ることができる。
また、フィルタ部１３は、第２のマイクロホン７と第１のマイクロホン６との接続の間に設けてもよい。この場合、第２のマイクロホン７からのノイズが第１のマイクロホン６との接続の前に低減できるので、通常のマイクロホン使用時（例えば外部との音声のやり取り）のノイズが小さくできる。
さらに、上記の例では、第２のマイクロホン７を第１のマイクロホン６に対して並列に信号線１０に接続したが、直列に接続してもよい。
【００１９】
実施の形態２．
次に、図２はこの発明の実施の形態２によるエレベータ装置を示す構成図である。かご１には、第１のマイクロホン６と第２のマイクロホン７とのいずれか一方を信号線１０に選択的に接続する切換スイッチ（切換リレー）１４が設けられている。切換スイッチ１４は、制御盤８からの指令に応じて切り換えられる。具体的には、切換スイッチ１４は、通常時は第１のマイクロホン６を信号線１０に接続しており、点検運転時に第２のマイクロホン７を信号線１０に接続するように切り換えられる。これにより、実施の形態１のフィルタ部１３は省略されている。他の構成は、実施の形態１と同様である。
【００２０】
図３は図２の制御盤８の地震検出後の動作を示すフローチャートである。地震によりかご１が停止されると、制御盤８は、地震の程度等の情報に基づいて、点検無しでの復旧が可能であるかどうかを判定する（ステップＳ１）。復旧が可能であれば、かご１の運転を直ちに復旧する。点検が必要であると判定した場合、点検運転が可能であるかどうかを判定する（ステップＳ２）。点検運転が不可能であれば、エレベータ装置を休止状態とする。
【００２１】
点検運転が可能であれば、異常点検モードが開始され（ステップＳ３）、かご１内に乗客がいないことを確認した後（ステップＳ４）、切換スイッチ１４を第２のマイクロホン７側に切り換えるための指令を出力する（ステップＳ５）。かご１内の乗客の有無は、秤装置からの信号やかご内画像信号等に基づいて判定することができる。万一かご１内に乗客が残っていた場合には、乗客を降ろすために戸開したりアナウンスを放送したりする措置を行う。
【００２２】
切換スイッチ１４を第２のマイクロホン７側に切り換えると、点検運転を開始し（ステップＳ６）、点検運転が完了したかどうかを監視する（ステップＳ７）。点検運転中の詳細な点検動作については、ここでは省略する。点検運転が完了すると、切換スイッチ１４を第１のマイクロホン６側へ戻す指令を出力し（ステップＳ８）、かご１の運転を復旧する。復旧の妨げとなる異常が点検運転中に検出された場合は、エレベータ装置を休止状態とするのは勿論である。
【００２３】
このようなエレベータ装置では、点検運転時に切換スイッチ１４が第２のマイクロホン７側に切り換えられるので、フィルタ部１３を省略しても、異常検出の精度を向上させることができる。
また、かご１内に乗客がいないことを確認してから、切換スイッチ１４を第２のマイクロホン７側に切り換えるので、点検運転中にかご内インターホン装置５が機能しないことによる不都合は生じない。
【００２４】
実施の形態３．
次に、図４はこの発明の実施の形態３によるエレベータ装置を示す構成図である。この例では、第１及び第２のマイクロホン６，７の両方がかご内インターホン装置５に設けられている。即ち、第１のマイクロホン６はかご１内へ向けて、第２のマイクロホン７はかご１外へ向けて、共通のかご内インターホン装置５に設けられている。また、第１及び第２のマイクロホン６，７は、背中合わせに結合されて一体化されている。
【００２５】
このようなエレベータ装置によっても、第２のマイクロホン７からの信号が第１のマイクロホン６と共通の信号線１０により制御盤８に伝送されるので、コストを低減することができる。
また、既設のエレベータ装置のかご１に第２のマイクロホン７を追加設置する場合には、かご内インターホン装置５を交換するだけでよく、改修作業が簡単である。
【００２６】
実施の形態４．
次に、図５はこの発明の実施の形態４によるエレベータ装置を示す構成図である。この例では、第１のマイクロホン６が第２のマイクロホンを兼ねている。即ち、第１のマイクロホン６は、鉛直な軸を中心として回転されることにより、かご１の内側と外側とに転向可能になっている。そして、第１のマイクロホン６は、かご１内に向いているとき、かご内インターホン装置５のマイクロホンとして機能し、かご１外へ向いているときに異常音を検出するための第２のマイクロホンとして機能する。また、かご内インターホン装置５には、第１のマイクロホン６を回転させるモータ等の駆動源（図示せず）が設けられている。駆動源は、制御盤８からの指令信号に応じて駆動される。
【００２７】
このようなエレベータ装置によっても、信号線１０を追加する必要がないため、音による異常検出機能を持たせるためのコストを低減することができる。
【００２８】
なお、上記の例では、第１のマイクロホン６を回転させたが、かご内インターホン装置５全体を回転させることにより第１のマイクロホン６を転向させてもよい。
また、第２のマイクロホンをかごのどこに取り付けるかは特に限定されるものではなく、例えばかごの下部等であってもよい。
さらに、第２のマイクロホンの数は１個に限定されるものではなく、２個以上であってもよい。例えば、かごの上部とかごの下部とにそれぞれ第２のマイクロホンを配置し、共通の信号線に接続してもよい。
また、この構成で第２のマイクロホン７に高感度のマイクロホンを用いてもよい。この場合、通常のマイクロホン使用時（例えば外部との音声のやり取り）は従来通りで、点検運転時のみ小さな音なども検出でき、高精度な検出が行えるようになる。
【００２９】
実施の形態５．
次に、図６はこの発明の実施の形態５によるエレベータ装置を示す構成図である。図において、制御盤８には、ソケット１５が設けられている。ソケット１５には、昇降路マイクロホン１６が接続されている。昇降路マイクロホン１６は、ソケット１５に抜き差し可能になっている。異常検出部には、かご内インターホン装置５からの信号も入力される。
【００３０】
このようなエレベータ装置では、点検運転時に昇降路マイクロホン１６で取得された昇降路内の音に基づいて、異常検出部１２により異常の有無が判定される。従って、かご１と制御盤８との間の信号線を増やす必要がなく、音による異常検出機能を持たせるためのコストを低減することができる。
【００３１】
また、昇降路マイクロホン１６は、ソケット１５に抜き差し可能となっているため、必要なエレベータ装置のみに容易に接続することができる。
さらに、点検運転時には、かご内インターホン装置５からの信号は異常検出部１２に入力しなくてもよいが、かご内インターホン装置５からの信号を異常検出部１２に入力することにより、かご１付近の異常音を検出することができ、異常検出の精度を向上させることができる。
【００３２】
なお、実施の形態１〜４で示したような第２のマイクロホンを実施の形態５のかごに設け、第２のマイクロホンからの信号と昇降路マイクロホンからの信号とに基づいて異常判定を行ってもよい。
【図面の簡単な説明】
【００３３】
【図１】この発明の実施の形態１によるエレベータ装置を示す構成図である。
【図２】この発明の実施の形態２によるエレベータ装置を示す構成図である。
【図３】図２の制御盤の地震検出後の動作を示すフローチャートである。
【図４】この発明の実施の形態３によるエレベータ装置を示す構成図である。
【図５】この発明の実施の形態４によるエレベータ装置を示す構成図である。
【図６】この発明の実施の形態５によるエレベータ装置を示す構成図である。
【符号の説明】
【００３４】
１  かご、５  かご内インターホン装置、６  第１のマイクロホン、７  第２のマイクロホン、８  制御盤（信号受信部）、１０  信号線、１２  異常検出部、１３  フィルタ部、１４  切換スイッチ、１５  ソケット、１６  昇降路マイクロホン。
【図１】
2007137647.tif 000003
【図２】
2007137647.tif 000004
【図３】
2007137647.tif 000005
【図４】
2007137647.tif 000006
【図５】
2007137647.tif 000007
【図６】
2007137647.tif 000008